(57)【要約】【課題】遠心力集塵装置において、塵埃の捕集効率を向上させ、さらには集塵性能を回復させて集塵性能の維持を図ること。【解決手段】略円筒形状を有し含塵空気から塵埃を旋回流で遠心分離する内側分離室４と、内側分離室４を内部に有すると共に、内側分離室４にて塵埃の一部を分離された排気から、塵埃を旋回流で更に遠心分離する外側分離室６０と、外側分離室６０の外部から前記内側分離室４の内壁の接線方向に含塵空気を流入させる吸気口２と、内側分離室４にて塵埃の一部を分離された排気を外側分離室６０に向けて、内側分離室４の外壁の略円周方向に排出する排出口とを備え、外側分離室６０の側面外郭に、塵埃ろ過用のフィルタ６を有する集塵体７を形成し、上方に集塵体７の除塵を行う除塵装置２１を取り付けたもので、サイクロン効果により塵埃の捕集効率を向上し、また除塵装置により集塵性能を維持できる。【選択図】図１
2008253376.tif 000002
【特許請求の範囲】
【請求項１】
略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、上方に前記集塵体の除塵を行う除塵装置を取り付けた遠心力集塵装置。
【請求項２】
略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、前記内側分離室の上方に、前記内側分離室内の塵埃を圧縮する圧縮装置を取り付けた遠心力集塵装置。
【請求項３】
内側分離室の上方に、前記内側分離室内の塵埃を圧縮する圧縮装置を取り付けた請求項１記載の遠心力集塵装置。
【請求項４】
除塵装置を手動にて駆動できるようにした請求項１または３に記載の遠心力集塵装置。
【請求項５】
圧縮装置を手動にて駆動できるようにした請求項２または３に記載の遠心力集塵装置。
【請求項６】
請求項１、３、４のいずれか１項に記載の遠心力集塵装置の一部を集塵装置挿入ケースに挿入して構成される集塵装置収納室と、吸引力を発生する電動送風機とを備え、電動送風機を運転して、前記集塵装置収納室に負圧が加わったときに、前記遠心力集塵装置の上方に設けた除塵装置には負圧が加わらないように、エアータイトを行った電気掃除機。
【請求項７】
請求項２、３、５のいずれか１項に記載の遠心力集塵装置の一部を集塵装置挿入ケースに挿入して構成される集塵装置収納室と、吸引力を発生する電動送風機とを備え、電動送風機を運転して、前記集塵装置収納室に負圧が加わったときに、前記遠心力集塵装置の上方に設けた圧縮装置には負圧が加わらないように、エアータイトを行った電気掃除機。
【請求項８】
請求項１、３、４のいずれか１項に記載の遠心力集塵装置と、電気掃除機本体側に設けられて前記遠心力集塵装置に取り付けた除塵装置を駆動する除塵装置駆動ユニットとを備え、前記遠心力集塵装置は、前記除塵装置駆動ユニットと着脱自在に接続される電気掃除機。
【請求項９】
請求項２、３、５のいずれか１項に記載の遠心力集塵装置と、電気掃除機本体側に設けられて前記遠心力集塵装置に取り付けた圧縮装置を駆動する圧縮装置駆動ユニットとを備え、前記遠心力集塵装置は、前記圧縮装置駆動ユニットと着脱自在に接続される電気掃除機。
【請求項１０】
請求項１〜５のいずれか１項に記載の遠心力集塵装置を収納して前記遠心力集塵装置に吸引力を加える集塵装置収納室を形成し、前記遠心力集塵装置を着脱自在にした電気掃除機。
【発明の詳細な説明】
【技術分野】
【０００１】
本発明は、塵埃を含む空気流から旋回流の遠心力により塵埃を分離し、塵埃のみを集塵する遠心力集塵装置に関するものである。
【背景技術】
【０００２】
従来、この種の遠心力集塵装置はエアサイクルシステムやサイクロン方式の電気掃除機に多く利用されている（例えば、特許文献１、２参照）。
【０００３】
図８及び図９は、上記特許文献１に記載された従来の遠心力集塵装置を示すものである。図８及び図９に示すように、遠心力集塵装置３５は、塵埃を含む空気流Ａを吸引する吸気口２と、吸気口２に沿って略円筒形の内形構造を有し空気流Ａを旋回させて発生した旋回流Ｂで空気流から塵埃を遠心分離する分離室４と、分離された塵埃を集塵する集塵室５と、前記塵埃と分離された空気流Ｄを分離室４内から排気口６を通して遠心力集塵装置３５外へ排出する排気管７から構成された遠心力集塵装置が開示されている。
【０００４】
また、上記特許文献２において、接続パイプ内部に配設した旋回流発生翼にて直進する気流を旋回流に変換し、この旋回流中で発生する遠心力作用によって細塵を開口部を通じて細塵用集塵室に送り込み、その細塵用集塵室内での旋回流でさらに細塵を空気と分離する構成の遠心力集塵装置が開示されている。
【特許文献１】特開２０００−３１７３４９号公報
【特許文献２】特開平８−３２２７６８号公報
【発明の開示】
【発明が解決しようとする課題】
【０００５】
このような上記従来のサイクロン作用による遠心力集塵装置にあっては、分離されるべき塵埃が排気パイプに向かう気流の影響を受けると舞い上げられて排出され、捕集効率が悪くなるためサイクロン作用による遠心力集塵部の長さを長く取る必要があり、機器が大型化し、背丈の低い部分や機器への組込みには不具合があった。特に細塵は、舞い上がり易いため、サイクロン作用では分離しきれず排気と共に一部が排出されるため、それをろ過するフィルタ等が下流側に必要となり、集塵装置がさらに大きくなり、構造も複雑になるという課題を有していた。
【０００６】
本発明は、前記従来の課題を解決するもので、本体の大型化することなく小型コンパクトな機器に組込み可能で、吸い込み性能の持続性の良いサイクロン作用による遠心力集塵装置を提供することを目的とする。
【課題を解決するための手段】
【０００７】
前記従来の課題を解決するために、本発明の遠心力集塵装置は、略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、上方に前記集塵体の除塵を行う除塵装置を取り付けたものである。
【０００８】
これによって、内側分離室内に発生した旋回流によって綿ごみ、粗塵等のごみが分離され捕集されると共に、分離し切れずに内側分離室から外側分離室に排出された細塵は、外側分離室の外郭を形成する塵埃ろ過用のフィルタによって、旋回流を利用して捕集され、加えて、除塵装置により集塵性能が回復し、集塵性能を維持できるものである。
【０００９】
また、本発明の遠心力集塵装置は、略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、前記内側分離室の上方に、前記内側分離室内の塵埃を圧縮する圧縮装置を取り付けたものである。
【００１０】
これによって、内側分離室内に発生した旋回流によって綿ごみ、粗塵等のごみが分離され捕集されると共に、分離し切れずに内側分離室から外側分離室に排出された細塵は、外側分離室の外郭を形成する塵埃ろ過用のフィルタによって、旋回流を利用して捕集され、加えて、圧縮装置によりごみが圧縮され、集塵容量を稼ぐことができるものである。
【発明の効果】
【００１１】
本発明の遠心力集塵装置は、サイクロン作用を作り出す分離室が比較的小型でも気流によってごみを分離捕集し、また舞い上がりやすい細塵を集塵体で捕集するため、細塵が排気から排出されることはなく、かつ集塵体は分離室を覆うように配備してあるため、全体に小型でシンプルな構成の集塵装置を提供することができる。さらに除塵もしくは圧縮の機能を集塵装置そのものに取り付けており、簡単な構成で集塵性能の維持、および集塵容量の容量アップを実現することができる。
【発明を実施するための最良の形態】
【００１２】
第１の発明は、略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、上方に前記集塵体の除塵を行う除塵装置を取り付けたもので、内側分離室内に発生した旋回流によって綿ごみ、粗塵等のごみが分離され捕集されると共に、分離し切れずに内側分離室から外側分離室に排出された気流によって舞い上がり易い細塵は、外側分離室の外郭を形成する塵埃ろ過用のフィルタによって、旋回流を利用して捕集され、加えて、除塵装置により集塵性能が回復し、集塵性能を維持できるものである。
【００１３】
第２の発明は、略円筒形状を有し含塵空気から塵埃を旋回流で遠心分離する内側分離室と、前記内側分離室を内部に有すると共に、前記内側分離室にて塵埃の一部を分離された排気から、塵埃を旋回流で更に遠心分離する外側分離室と、前記外側分離室の外部から前記内側分離室の内壁の接線方向に含塵空気を流入させる吸気口と、前記内側分離室にて塵埃の一部を分離された排気を外側分離室に向けて、前記内側分離室の外壁の略円周方向に排出する排出口とを備え、前記外側分離室の側面外郭に、塵埃ろ過用のフィルタを有する集塵体を形成し、前記内側分離室の上方に、前記内側分離室内の塵埃を圧縮する圧縮装置を取り付けたことにより、内側分離室内に発生した旋回流によって綿ごみ、粗塵等のごみが分離され捕集されると共に、分離し切れずに内側分離室から外側分離室に排出された気流によって舞い上がり易い細塵は、外側分離室の外郭を形成する塵埃ろ過用のフィルタによって、旋回流を利用して捕集され、加えて、圧縮装置によりごみが圧縮され、集塵容量を稼ぐことができるものである。
【００１４】
第３の発明は、第１の発明の内側分離室の上方に、前記内側分離室内の塵埃を圧縮する圧縮装置を取り付けたもので、第１の発明の効果に加えて、圧縮装置によりごみが圧縮され、集塵容量を稼ぐことができるものである。
【００１５】
第４の発明は、第１または第３の発明の除塵装置を、手動にて駆動できるようにしたもので、第１または第３の発明の効果に加えて、ごみ捨て等の作業の際に、手動で除塵できることにより、集塵性能の回復とごみ捨てを容易に行うことができる。
【００１６】
第５の発明は、第２または第３の発明の圧縮装置を、手動にて駆動できるようにしたもので、第２または第３の発明の効果に加えて、ごみ捨て等の作業の際に、ごみを容易に押し出すことができ、ごみ捨てを確実かつ容易に実施することができる。
【００１７】
第６の発明は、第１、３、４のいずれか１つの発明の遠心力集塵装置の一部を集塵装置挿入ケースに挿入して構成される集塵装置収納室と、吸引力を発生する電動送風機とを備え、電動送風機を運転して、前記集塵装置収納室に負圧が加わったときに、前記遠心力集塵装置の上方に設けた除塵装置には負圧が加わらないように、エアータイトを行ったもので、負圧が集塵装置収納室に加わっても空気漏れがなく、吸込み性能を損なうことなくすぐれた集塵性能を維持することができる。
【００１８】
第７の発明は、第２、３、５のいずれか１つの発明の遠心力集塵装置の一部を集塵装置挿入ケースに挿入して構成される集塵装置収納室と、吸引力を発生する電動送風機とを備え、電動送風機を運転して、前記集塵装置収納室に負圧が加わったときに、前記遠心力集塵装置の上方に設けた圧縮装置には負圧が加わらないように、エアータイトを行ったもので、負圧が集塵装置収納室に加わっても空気漏れがなく、吸込み性能を損なうことなく集塵容量を確保することができる。
【００１９】
第８の発明は、第１、３、４のいずれか１つの発明の遠心力集塵装置と、電気掃除機本体側に設けられて前記遠心力集塵装置に取り付けた除塵装置を駆動する除塵装置駆動ユニットとを備え、前記遠心力集塵装置は、前記除塵装置駆動ユニットと着脱自在に接続されるもので、集塵装置収納時には、本体側の駆動力により、自動的に除塵を行なうことができ、優れた集塵性能を維持することができる。
【００２０】
第９の発明は、第２、３、５のいずれか１つの発明の遠心力集塵装置と、電気掃除機本体側に設けられて前記遠心力集塵装置に取り付けた圧縮装置を駆動する圧縮装置駆動ユニットとを備え、前記遠心力集塵装置は、前記圧縮装置駆動ユニットと着脱自在に接続されるもので、集塵装置収納の間は、本体側の駆動力により、自動的にごみ圧縮を行なうことができ、優れた集塵容量を確保することができる。
【００２１】
第１０の発明は、第１〜第５のいずれか１つの発明の遠心力集塵装置を収納して前記遠心力集塵装置に吸引力を加える集塵装置収納室を形成し、前記遠心力集塵装置を着脱自在にしたもので、優れた吸込み性能を持続するサイクロン式の電気掃除機を提供することができる。
【００２２】
以下、本発明の実施の形態について、図面を参照しながら説明する。なお、この実施の形態によって本発明が限定されるものではない。
【００２３】
（実施の形態１）
図１〜図７は本発明の第１の実施の形態における遠心力集塵装置を示すものである。
【００２４】
図１〜図７において、遠心力集塵装置１は、遠心力集塵装置１の上方に配置し塵埃を含む空気流Ａを遠心力集塵装置１内に接線方向に流入させ旋回流Ｂを発生させる吸気口２と、旋回流Ｂで塵埃を含む空気（含塵空気）流から塵埃を遠心分離する略円筒形の内側分離室４と、分離された塵埃を集塵する集塵室５と、内側分離室４を内部に有し、上記と同様に内部で旋回流を発生させて、内側分離室４内で一部の塵埃を分離され内側分離室４を通過して流れ込む排気から塵埃を遠心分離する外側分離室６０と、前記外側分離室６０の外郭の一部を構成する集塵体７とを備え、前記集塵体７は、塵埃（例えば、粗塵、細塵等）を濾過するフィルタ６によって形成されている。ここで、外側分離室６０の外郭を形成する集塵体７の上部は、天板８によって上部を一体に接合している。
【００２５】
集塵体７の下部には塵埃（例えば、粗塵、細塵等）を集塵する細塵室１０が形成してあり、細塵室１０と内側分離室４下部の集塵室５とは一体に接合してある。
【００２６】
１１は細塵室１０と集塵室５とを、同時に開閉する開閉蓋であり、フック１２で係止されるようになっている。なお開閉蓋１１に当接する塵室１０及び集塵室５の下端にはシール用のパッキン１３が取り付けてある。
【００２７】
吸気口２は、外側分離室６０の外郭を形成する集塵体７と、内側分離室４とを貫通する形で配備してあり、吸気口２周囲においても集塵体７と内側分離室４の間に空気路（隙間）が設けられている。１４は開閉蓋１１のヒンジである。分離室４には網状のろ材で形成したプレフィルタ１８をらせん状で、かつ風上から風下にしたがって徐々に開口面積が広がるように設けてあり、内側分離室４の旋回流の一部が内側分離室４の外周に旋回しながら集塵体７内へ排出するように設定してある。内側分離室４周囲は、旋回流Ｂの勢いで引き続き旋回流Ｄが発生し、フィルタ６の表面に沿って流れる。１５は集塵体７を支える枠体で、開口１６が複数形成してあり、上端を天板８と、下端を細塵室１０に接合されており、集塵装置全体の剛性を確保している。また集塵体７には、渦巻き状に折り曲げることにより渦室１７を複数個形成しており、渦室１７内でも旋回流Ｃを生じさせ、細塵を分離する。
【００２８】
内側分離室４の上方には、上下動する圧縮筒２５と、圧縮筒２５を下方に押し下げるための回転筒２６が設けてあり、それぞれの接触面を傾斜させており、回転筒２６を回転させることによってカム機構により、圧縮筒２５を押し下げる。圧縮筒２５は、ベローズ体２７に取り付けてあり、ベローズ体２７の付勢力により、上方に引き上げられ、回転筒２６による押し下げ力が働かないときは、圧縮筒２５は上方に移動する。従って回転筒２６を回転させることにより、圧縮筒２５は分離室４内で上下動することができ、圧縮装置２３として作用する。ベローズ体２７は下端を圧縮筒２５と接着しており、上端は天板８に接着してある。また圧縮筒２５下端周囲は、外周方向に起毛したブラシ体２８が接着してある。
【００２９】
回転筒２６は、回転ギヤ２９と締結してあり、回転ギヤ２９と回転筒２６との間には、円盤の外側に突起３７を形成したビート板３０が挟んである。ビート板３０が回転すると天板８に形成した凹凸を有する溝３１の上を突起３７が凹凸に当りながら回転するため、天板８に振動が発生することにより除塵装置２１として作用する。天板８の振動は、天板８に接合した内側分離室４及び集塵体７に伝わり、それぞれ表面に付着した塵埃、及び細塵が振動で落下する。その際回転筒２６も回転するため、圧縮筒２５が上下動し、圧縮筒２５は、内側分離室４内のごみを下方に押し下げて圧縮するとともに、ブラシ体２８が内側分離室４のプレフィルタ１８に付着した綿ごみ等を掻き落とし、プレフィルタ１８を、ほぼ初期状態に戻す。
【００３０】
３２は、回転ギヤ２９を回すダイヤルで、遠心力集塵装置１に一体に取り付けた蓋体２２に回動自在に取り付けてあり、手動にてダイヤル３２を回し、回転ギヤ２９を回すことにより、上記除塵効果を得ることができる。
【００３１】
また本実施の形態においては、本体側に設けた電動駆動装置２４の駆動ギヤ３３の駆動力を蓋体２２に取り付けた連結ギヤ３４を介して回転ギヤ２９に伝達できるようになっており、掃除終了後に一定時間、駆動ギヤ３３が回転するよう制御することで掃除ごとに都度、回転ギヤ２９が回転し、上記除塵効果を得ることができる。蓋体２２は、天板８の振動を損なわないよう外周端を天板８に取り付けてある。３６は蓋体２２に形成した遠心力集塵装置１着脱用の取っ手である。
【００３２】
遠心力集塵装置１は、掃除機の上方を開放した集塵装置収納ケース１９に設置され、天板８外周に固定したタイトパッキン３８が集塵装置収納ケース１９に上端に当接して集塵装置装入室３９の密閉状態を形成する。集塵装置装入室３９に連通するファンモータ２０の吸引圧が集塵装置装入室３９内に均一に加わることにより、吸気口２から空気が分離室４に入り、旋回流Ｂとなる。３は吸気口２と集塵装置収納ケース１９のタイトを行う円形パッキンである。
【００３３】
内側分離室４内にはベローズ体２７と圧縮筒２５が入り込んでいるが、ベローズ体２７が接着固定されているため、その部分から外気が入り込むことはない。また回転ギヤ及び連結ギヤ３４には、集塵装置装入室３９の外部に位置することになり、吸引したごみが付着する恐れはなく回動はスムーズに維持される。なお連結ギヤ３４は遠心力集塵装置１を集塵装置収納ケース１９に装入した際に、駆動ギヤ３３と噛み合い、回転力を伝達する。
【００３４】
次に、本実施の形態における気流の流れ等を説明する。
【００３５】
内側分離室４には網状の濾材で形成したプレフィルタ１８を取り付けた排出口２３が、らせん状で、かつ上部から下部へと下がるに従って、徐々に開口面積が広がるように設けてある。プレフィルタ１８は綿ごみ等の粗塵を捕獲するものであり、プレフィルタ１８の網の目は粗いものであるが完全開放でないため、内側分離室４内の空気の一部は内側分離室４外である外側分離室６０に排出され、一部は内側分離室４内で旋回流Ｂとなる。内側分離室４内部で旋回流Ｂが生じているため排出される気流も旋回流Ｂに沿って流れ出し、内側分離室４の円周方向（円の接線方向）に排出される。内側分離室４の円周面を集塵体７で形成しているため、円周方向に排出された気流は、略円弧状に形成した集塵体７のフィルタ６面に沿ってフィルタ６面とほぼ平行に流れ、集塵体７の形状に沿った旋回流Ｄとなり、気流と細塵等の塵埃を分離する作用が働く。
【００３６】
内側分離室４内では塵埃を含む吸引空気が旋回流によって回転している間に気流と塵埃が分離され、塵埃は集塵室５に溜まる。排出口２３は内側分離室４の上部ほど開口面積が小さいため、上部では旋回する気流が多く、下方に行くに従って旋回流が少なくなり内側分離室４外に排出される気流が多くなる。そのため内側分離室４の高さを、従来に比べ低くしても下方の集塵室５に落ちたごみは、ほとんど舞い上がらずに集塵室に５に溜まる。また旋回流で分離された綿ごみは、旋回する間に固まり、プレフィルタ１８の表面をクリーニングしながら回転する。その際プレフィルタ１８を通過しようとする細塵の一部が綿ごみに付着し、捕集されるので、プレフィルタ１８が低圧損の目の粗い濾材から構成されていても目詰まりし難く、かつ高い捕集性能を得ることができる。
【００３７】
外側分離室６０内に入った空気はフィルタ６に沿って旋回するが、排気口室２３から流路面積が広い空間に排出されるため、流速が落ちて細塵等の塵埃が落下し易くなり、旋回流による気流と細塵等の塵埃の分離作用が促進される。
【００３８】
フィルタ６の目に対して細塵等の塵埃を含む気流はほぼ平行方向で衝突するため、フィルタ６面に対して垂直な気流で衝突する場合に比べ、見かけ上フィルタの目は、狭くなり、フィルタの目が少し大きく、比較的圧損の少ないものでも、細塵等の塵埃を高効率で捕集することができる。
【００３９】
またフィルタ６の目の奥までは細塵が入り込み難くなり、振動などの除塵動作によっても、付着した細塵等の塵埃が落ち易く、性能が回復し易くなる。圧損が少なく、目詰まりも軽減できるため、フィルタ６の面積を従来機構のフィルタ面積より小さくしても吸込み性能及び性能の持続性が確保できるため、集塵体７自体を小さくすることが可能となる。
【００４０】
細塵等の塵埃を捕集された清浄空気は、枠体１５の開口１６より排出され、ファンモータ２０に吸引された後、掃除機外に排出される。通常、フィルタ６は吸引力を受けると外側に広がるが枠体１５によって外周を保持されるため、広がることはなく、掃除機の集塵装置収納ケース１９の内壁との距離が一定に保たれ、空気通路が常に確保される。また集塵体７を分離室４周囲に張り巡らせることにより、広い面積を確保することができるため、フィルタ６をプリーツ加工する必要がなく、ほぼ平面形状で構成できるので、除塵の際に付着したごみが落ち易くなる。
【００４１】
なお外側分離室６０の内部の旋回流は、旋回流Ｄだけでなく、渦室１７の渦状形状の軸部の空気を小フィルタ９からも吸引することによって旋回流Ｃを生じさせており、細塵を分離、捕集できる能力を高め、フィルタ面積を有効活用すると共に、掃除用のブラシ等が挿入できる空間を確保している。
【００４２】
さらに、駆動ギヤ３３が掃除機運転ごとに、一定時間駆動し、連結ギヤ３４を介して回転ギヤ２９を回し、同時に回転するビート板３０が天板８を振動させることで、天板の振動が伝わるプレフィルタ１８及びフィルタ６が振動し、表面についたごみ、細塵が下方に落ちる。また回転ギヤ２９の回転により同時に回転する回転筒２６が圧縮筒２５を上下動させ、内側分離室４内のごみを下方に押し下げて圧縮するとともに、ブラシ体２８が内側分離室４のプレフィルタ１８に付着した綿ごみ等を掻き落とし、プレフィルタ１８をほぼ初期状態に戻す。
【００４３】
以上の動作により内側分離室４のプレフィルタ１８、及び集塵体７のフィルタ６の表面は、常にほぼ初期状態を持続することができる。
【００４４】
通常フィルタ６は吸引圧を受けると外側に広がるが枠体１５によって外周を保持されるため、広がることはなく、掃除機の集塵装置収納ケース１９との距離が一定に保たれ、空気通路が常に確保される。
【００４５】
また集塵体７を内側分離室４周囲にはり巡らせることにより、広い面積を確保することができるため、低圧損で、かつ、ろ過性能も向上する。
【００４６】
溜まったごみ、細塵の廃棄については、取っ手３６を掴んで遠心力集塵装置１を取り出し、フック１２を解除して開閉蓋１１を開けることにより、集塵室５と細塵室１０のごみ、細塵を同時に廃棄することができる。その際ダイヤル３２を回せば圧縮筒２５が下方に下がり、分離室４内のごみを押し出すとともに、プレフィルタ１８のごみもそぎ落とす。フィルタ６の細塵もダイヤル３２を回して発生する振動でフィルタ６より剥がれ落ち、遠心力集塵装置１内に溜まったごみ、細塵を容易かつ確実に捨てることができる。
【００４７】
以上のように、本実施の形態においては、内側分離室４をフィルタ６で形成した集塵体７に収めることにより遠心力集塵装置１自体を小型にでき、それでいて内側分離室４内で大きなごみを、集塵体７内で細塵を、旋回流によって分離捕獲することにより、すぐれた捕集性能を発揮するとともに、圧縮装置及び、除塵装置にてごみ圧縮と除塵を行なうことができるため、小型で簡単な構成にて、吸い込み性能を持続し、かつ集塵容量の多い、使い勝手の良い遠心力集塵装置１を提供することができる。
【００４８】
なお、本実施の形態ではキャニスタ型の電気掃除機に遠心力集塵装置を設置する場合で説明したが、アップライト型の電気掃除機に設置する場合でも同様の効果が得られるものである。
【産業上の利用可能性】
【００４９】
以上のように、本発明にかかる遠心力集塵装置は、優れた集塵性能と集塵容量を実現するもので、サイクロン方式の電気掃除機の性能及び使い勝手の向上に活用することができる。
【図面の簡単な説明】
【００５０】
【図１】本発明の実施の形態１における遠心力集塵装置を装入した電気掃除機の縦断面図
【図２】同遠心力集塵装置を装入した電気掃除機の、ごみを圧縮した状態を示す縦断面図
【図３】同遠心力集塵装置を装入した電気掃除機の平面断面図
【図４】同遠心力集塵装置を装入した電気掃除機の蓋体部まわりの平面断面図
【図５】同遠心力集塵装置の分解斜視図
【図６】同遠心力集塵装置の内側分離室の分解斜視図
【図７】同遠心力集塵装置の、ごみ捨て状態を示す断面図
【図８】従来の遠心力集塵装置の縦断面図
【図９】同遠心力集塵装置の平面図
【符号の説明】
【００５１】
１    遠心力集塵装置
２    吸気口
３    円形パッキン
４    内側分離室
５    集塵室
６    フィルタ
７    集塵体
８    天板
１０  細塵室
１１  開閉蓋
１２  フック
１３  パッキン
１４  ヒンジ
１５  枠体
１６  開口
１７  渦室
１８  プレフィルタ（排出口）
１９  集塵装置収納ケース
２０  ファンモータ
２１  除塵装置
２２  蓋体
２３  圧縮装置
２４  電動駆動装置
２５  圧縮筒
２６  回転筒
２７  ベローズ体
２８  ブラシ体
２９  回転ギヤ
３０  ビート板
３１  溝
３２  ダイヤル
３３  駆動ギヤ
３４  連結ギヤ
３６  取っ手
３７  突起
３８  タイトパッキン
３９  集塵装置装入室
６０  外側分離室
【図１】
2008253376.tif 000003
【図２】
2008253376.tif 000004
【図３】
2008253376.tif 000005
【図４】
2008253376.tif 000006
【図５】
2008253376.tif 000007
【図６】
2008253376.tif 000008
【図７】
2008253376.tif 000009
【図８】
2008253376.tif 000010
【図９】
2008253376.tif 000011